(57)【特許請求の範囲】
【請求項１】
長手方向に延びる溝形状部を有し、該溝形状部を形成する一対の縦壁部の少なくとも一方に長手方向に沿って湾曲するフランジ部を有する製品形状の成形品を成形するプレス成形方法であって、
前記溝形状部を成形する溝部と該溝部の両側に肩部とを有するダイと、該ダイの前記肩部に対向配置されて前記肩部と協働して前記フランジ部を成形するフランジ成形用ダイと、前記ダイの前記溝部に挿入されて前記成形品の前記溝形状部を成形する溝形状成形部を有するパンチとを備え、該パンチと前記フランジ成形用ダイが相対移動可能に構成されたプレス成形装置を用いて、以下の工程を行うことを特徴とするプレス成形方法。
前記パンチの前記溝形状成形部の少なくとも一方の端が前記フランジ成形用ダイの成形面から離れていて下死点状態で前記肩部と前記フランジ成形用ダイとの間に隙間が形成されるように前記パンチの位置決めをするパンチ位置決め工程、
該パンチ位置決め工程で位置決めされた状態で前記パンチと前記ダイによって前記溝形状部を前記製品形状に成形する溝形状部成形工程、
前記パンチの前記溝形状成形部の端が前記フランジ成形用ダイの成形面に一致するように前記パンチを移動させるパンチ移動工程、
該パンチ移動工程でパンチを移動した状態で前記ダイと前記フランジ成形用ダイによって前記フランジ部を製品形状に成形するフランジ成形工程。
【請求項２】
前記フランジ成形工程は、前記ダイを前記フランジ成形用ダイに近づけることを特徴とする請求項１に記載のプレス成形方法。
【請求項３】
前記フランジ成形工程は、前記フランジ成形用ダイ及び前記パンチを前記ダイに近づけることを特徴とする請求項１に記載のプレス成形方法。
【請求項４】
前記一対の縦壁のいずれか一方のフランジ部に溝形状部成形工程とフランジ成形工程を適用することを特徴とする請求項１乃至３のいずれかに記載のプレス成形方法。
【請求項５】
前記一対の縦壁の両方のフランジ部に溝形状部成形工程とフランジ成形工程を適用することを特徴とする請求項１乃至３のいずれかに記載のプレス成形方法。
【請求項６】
長手方向に延びる溝形状部を有し、該溝形状部を形成する一対の縦壁部の少なくとも一方に長手方向に沿って湾曲するフランジ部を有する製品形状の成形品を成形するプレス成形装置であって、
前記溝形状部を成形する溝部と該溝部の両側に肩部とを有するダイと、該ダイの前記肩部に対向配置されて前記肩部と協働して前記フランジ部を成形するフランジ成形用ダイと、前記ダイの前記溝部に挿入されて前記成形品の前記溝形状部を成形する溝形状成形部を有するパンチと、該パンチを前記フランジ成形用ダイに対して相対移動させるパンチ移動装置と、前記パンチの前記溝形状成形部の少なくとも一方の端が前記フランジ成形用ダイの成形面から離れた位置であって、下死点状態で前記肩部と前記フランジ成形用ダイとの間に隙間が形成される第１の位置と、前記パンチの前記溝形状成形部の端が前記フランジ成形用ダイの成形面に一致する第２の位置に前記パンチを位置決めするパンチ位置決め手段と、前記ダイと前記パンチ及び前記フランジ成形用ダイを駆動してプレス成形を行う成形用駆動装置とを備えたことを特徴とするプレス成形装置。
【請求項７】
前記成形用駆動装置は前記ダイを前記パンチ及び前記フランジ成形用ダイ側に移動させることを特徴とする請求項６記載のプレス成形装置。
【請求項８】
前記成形用駆動装置は前記パンチ及び前記フランジ成形用ダイを前記ダイ側に移動させることを特徴とする請求項６記載のプレス成形装置。
【請求項９】
前記第１の位置と前記第２の位置の前記パンチの相対移動距離をh、前記製品形状のフランジ幅をLとしたときに、
0.05＜h／L＜1.0
の条件を満たすことを特徴とする請求項６乃至８のいずれか一項に記載のプレス成形装置。
【請求項１０】
前記パンチ位置決め手段は、前記パンチを片側の前記フランジ成形用ダイに対して第１の位置に位置決めすることを特徴とする請求項６乃至９のいずれか一項に記載のプレス成形装置。
【請求項１１】
前記パンチ位置決め手段は、前記パンチを両側の前記フランジ成形用ダイに対して第１の位置に位置決めすることを特徴とする請求項６乃至９のいずれか一項に記載のプレス成形装置。
【発明の詳細な説明】
【技術分野】
【０００１】
本発明は、長手方向に延びる溝形状部を有し、該溝形状部を形成する一対の縦壁部の少なくとも一方に長手方向に沿って湾曲するフランジ部を有する製品形状の成形品を成形するプレス成形方法及び装置に関する。
【背景技術】
【０００２】
プレス成形とは、その対象物である材料（ブランク）に金型を押し付けることにより、金型の形状をブランクに転写して加工を行う方法のことである。プレス成形においては、プレス成形品を金型から取り出した後に、そのプレス成形品内の残留応力が弾性回復することによって起こる形状不良、いわゆるスプリングバックが発生し、所望の形状とは異なってしまう問題がしばしば発生する。
【０００３】
スプリングバックがどの程度生じるかについては、主に材料の強度に大きく影響される。昨今では、特に自動車業界を中心に、自動車車体の軽量化の観点から車体部品に高強度な鋼板を使用する傾向が強くなっており、このような材料の高強度化に伴いスプリングバックの生じる程度が大きくなっている。
このため、スプリングバック後の形状を設計形状に近づけるために、生産現場では熟練者によって金型を幾度も修正して、トライアル＆エラーを重ねなければならず、その結果、生産期間が長期化してしまう。
したがって、スプリングバックを効果的に低減できる方法を開発することは、自動車の開発期間やコストを削減する上でもますます重要な課題であると言える。
【０００４】
スプリングバックの低減には、その発生原因である応力のコントロールが必要不可欠である。
応力をコントロールしてスプリングバックを低減するものとして、例えば特許文献1に記載の「薄鋼板のプレス成形用金型装置」がある。特許文献１は、ハット断面部品をフォーム成形する際に、フランジ部に凸ビードを設けた金型でプレス成形する方法である。この方法は、下死点直前でブランクが凸ビードにロックされてブランクの縦壁部に引張変形が付与され、縦壁部の反りの原因であった板厚方向の応力差が解消されるというものである。
【０００５】
また、他の例として、パンチの外周に設置されたブランクホルダに窪みを設けた金型で成形する方法が特許文献２に提案されている。この方法は、成形中、ブランクホルダの窪みにブランク端部が入り込み、さらに成形が進むとブランク端部が窪み内壁に引っ掛かって拘束された状態となる。このため、ブランクが外へ流出しなくなるので、下死点直前でブランクの縦壁部に面内圧縮応力を付与することができ、板厚方向の応力差が解消されるというものである。
【先行技術文献】
【特許文献】
【０００６】
【特許文献１】特許第4090028号公報
【特許文献２】特開2010-99700号公報
【発明の概要】
【発明が解決しようとする課題】
【０００７】
特許文献１の方法では、成形された部品のフランジ部にビード形状が残ってしまうため、組立工程において他部品との溶接時に不具合が生じる可能性がある。そのため、ビード形状が残存する部分をカットするか、あるいは製品内にビード形状が入らないようにブランク長さを長くとる必要がある。
【０００８】
また、特許文献１、２は、スプリングバックによって部品のある断面に生じる形状変化に対する対策である。しかし、実際の部品ではねじれや曲がりといった部品全体に生ずる３次元的なスプリングバックが問題となる場合も多く、特許文献１、２はこのような問題に対する充分な対策とはなり得ない。
【０００９】
本発明はかかる問題点を解決するためになされたものであり、製品形状を変えることなく、ねじれや曲がりといった３次元的なスプリングバックを低減するプレス成形方法及び装置を提供することを目的としている。
【課題を解決するための手段】
【００１０】
発明者は上記課題を解決するため、図１３に示すような成形品４１をフォーム成形した際に成形品４１に生じるスプリングバックの形態について検討した。
成形品４１は、パンチ頂部４３ａと縦壁部４３ｂからなる溝形状部４３、及び長手方向に沿って湾曲するフランジ部（外側フランジ４５及び内側フランジ４７）を有している。
【００１１】
従来のフォーム成形では図１４の斜視図、図１５の断面図に示すようにダイ１０３とパンチ１０５でブランク２９を挟み込むことで成形を行う。図１６は成形前後のブランク外形線を示した図である。湾曲曲率の大きい側（曲率半径の小さい側）のフランジ（内側フランジ４７）に該当する外形線は成形によりブランクが流入することで曲率は小さくなり（曲率半径は大きくなり）線長が長くなる（A0B0→A1B1）。つまり、内側フランジ４７は伸びフランジ変形となり下死点では長手方向に引張応力が残存する。
【００１２】
一方、湾曲曲率の小さい側（曲率半径の大きい側）のフランジ（外側フランジ４５）ではその逆で、外形線は成形によりブランクが流入することで曲率は大きくなり（曲率半径は小さくなり）線長が短くなる（C0D0→C1D1）。つまり、外側フランジ４５は縮みフランジ変形となり下死点では長手方向に圧縮応力が残留する。
【００１３】
これらの残留応力は離型時に弾性回復し、内側フランジ４７では縮み変形、外側フランジ４５は伸び変形となり、その結果、図１７に示すように部品は湾曲曲率が大きく（曲率半径が小さく）なるような曲がり変形となるスプリングバックが生ずる。なお図１７において、破線がスプリングバック前の形状を示しており、実線がスプリングバック後の形状を示している。
【００１４】
以上のように、長手方向に湾曲したフランジ部を有する成形部品ではフランジ部における残留応力が離型時に解放されるため、部品全体に曲がり変形を与えるスプリングバックを生じさせている。このことから、このような部品では、フランジ部の残留応力の低減が部品のスプリングバック低減に非常に重要であると言える。
そこで、発明者らは、フランジ部の残留応力を低減する方法として、プレス成形過程においてフランジ部の線長を製品形状よりも大きく変化させ、その後にフランジ部の線長を製品形状に戻すような成形をすることを考えた。
本発明はかかる知見に基づいてなされたものであり、具体的には以下の構成からなるものである。
【００１５】
（１）本発明の一つの形態に係るプレス成形方法は、長手方向に延びる溝形状部を有し、該溝形状部を形成する一対の縦壁部の少なくとも一方に長手方向に沿って湾曲するフランジ部を有する製品形状の成形品を成形するプレス成形方法であって、
前記溝形状部を成形する溝部と該溝部の両側に肩部とを有するダイと、該ダイの前記肩部に対向配置されて前記肩部と協働して前記フランジ部を成形するフランジ成形用ダイと、前記ダイの前記溝部に挿入されて前記成形品の前記溝形状部を成形する溝形状成形部を有するパンチとを備え、該パンチと前記フランジ成形用ダイが相対移動可能に構成されたプレス成形装置を用いて、以下の工程を行うことを特徴とするものである。
前記パンチの前記溝形状成形部の少なくとも一方の端が前記フランジ成形用ダイの成形面から離れていて、下死点状態で前記肩部と前記フランジ成形用ダイとの間に隙間が形成されるように前記パンチの位置決めをするパンチ位置決め工程、
該パンチ位置決め工程で位置決めされた状態で前記パンチと前記ダイによって前記溝形状部を前記製品形状に成形する溝形状部成形工程、
前記パンチの前記溝形状成形部の端が前記フランジ成形用ダイの成形面に一致するように前記パンチを移動させるパンチ移動工程、
該パンチ移動工程でパンチを移動した状態で前記ダイと前記フランジ成形用ダイによって前記フランジ部を製品形状に成形するフランジ成形工程。
【００１６】
（２）また、上記（１）に記載のものにおいて、前記フランジ成形工程は、前記ダイを前記フランジ成形用ダイに近づけることを特徴とするものである。
【００１７】
（３）また、上記（１）に記載のものにおいて、前記フランジ成形工程は、前記フランジ成形用ダイ及び前記パンチを前記ダイに近づけることを特徴とするものである。
【００１８】
（４）また、上記（１）乃至（３）のいずれかに記載のものにおいて、前記一対の縦壁のいずれか一方のフランジ部に溝形状部成形工程とフランジ成形工程を適用することを特徴とするものである。
【００１９】
（５）また、上記（１）乃至（３）のいずれかに記載のものにおいて、前記一対の縦壁の両方のフランジ部に溝形状部成形工程とフランジ成形工程を適用することを特徴とするものである。
【００２０】
（６）本発明の一つの形態に係るプレス成形装置は、長手方向に延びる溝形状部を有し、該溝形状部を形成する一対の縦壁部の少なくとも一方に長手方向に沿って湾曲するフランジ部を有する製品形状の成形品を成形するプレス成形装置であって、
前記溝形状部を成形する溝部と該溝部の両側に肩部とを有するダイと、該ダイの前記肩部に対向配置されて前記肩部と協働して前記フランジ部を成形するフランジ成形用ダイと、前記ダイの前記溝部に挿入されて前記成形品の前記溝形状部を成形する溝形状成形部を有するパンチと、該パンチを前記フランジ成形用ダイに対して相対移動させるパンチ移動装置と、前記パンチの前記溝形状成形部の少なくとも一方の端が前記フランジ成形用ダイの成形面から離れた位置であって、下死点状態で前記肩部と前記フランジ成形用ダイとの間に隙間が形成される第１の位置と、前記パンチの前記溝形状成形部の端が前記フランジ成形用ダイの成形面に一致する第２の位置に前記パンチを位置決めするパンチ位置決め手段と、前記ダイと前記パンチ及び前記フランジ成形用ダイを駆動してプレス成形を行う成形用駆動装置とを備えたことを特徴とするものである。
【００２１】
（７）また、上記（６）に記載のものにおいて、前記成形用駆動装置は前記ダイを前記パンチ及び前記フランジ成形用ダイ側に移動させることを特徴とするものである。
【００２２】
（８）また、上記（６）に記載のものにおいて、前記成形用駆動装置は前記パンチ及び前記フランジ成形用ダイを前記ダイ側に移動させることを特徴とするものである。
【００２３】
（９）また、上記（６）乃至（８）のいずれかに記載のものにおいて、前記第１の位置と前記第２の位置の前記パンチの相対移動距離をh、前記製品形状のフランジ幅をLとしたときに、
0.05＜h／L＜1.0
の条件を満たすことを特徴とするものである。
【００２４】
（１０）また、上記（６）乃至（９）のいずれかに記載のものにおいて、前記パンチ位置決め手段は、前記パンチを片側の前記フランジ成形用ダイに対して第１の位置に位置決めすることを特徴とするものである。
【００２５】
（１１）また、上記（６）乃至（９）のいずれかに記載のものにおいて、前記パンチ位置決め手段は、前記パンチを両側の前記フランジ成形用ダイに対して第１の位置に位置決めすることを特徴とするものである。
【発明の効果】
【００２６】
本発明においては、パンチの溝形状成形部の端がフランジ成形用ダイの成形面から離れていて、下死点状態で肩部とフランジ成形用ダイとの間に隙間が形成されるようにパンチの位置決めをするパンチ位置決め工程と、パンチ位置決め工程で位置決めされた状態でパンチとダイによって溝形状部を製品形状に成形する溝形状部成形工程と、パンチの溝形状成形部の端がフランジ成形用ダイの成形面に一致するようにパンチを移動させるパンチ移動工程と、パンチ移動工程でパンチを移動した状態でダイとフランジ成形用ダイによってフランジ部を製品形状に成形するフランジ成形工程とを備えているので、溝形状部成形工程でフランジ部に生ずる長手方向のひずみを生じさせ、該生じたひずみをフランジ成形工程で戻すことができ、これによってフランジ部に生ずる残留応力を小さくすることができ、部品全体に曲り変形を与えるスプリングバックを低減することができる。
【図面の簡単な説明】
【００２７】
【図１】本発明の実施の形態１に係るプレス成形方法の説明図である。
【図２】本発明の実施の形態１に係るプレス成形方法の効果のメカニズムの説明図である（その１）。
【図３】本発明の実施の形態１に係るプレス成形方法の効果のメカニズムの説明図である（その２）。
【図４】本発明の実施の形態１に係るプレス成形装置の要部の斜視図である。
【図５】本発明の実施の形態１に係るプレス成形装置の要部の縦断面図である。
【図６】本発明の実施の形態２に係るプレス成形装置の要部の説明図である。
【図７】図６のプレス成形装置を用いたプレス成形方法の説明図である。
【図８】本発明の実施の形態３に係るプレス成形装置の要部の説明図である。
【図９】本発明を適用可能なプレス成形品の形状の態様を説明する説明図である。
【図１０】本発明の実施例１に係るプレス成形品の製品形状の説明図である（その１）。
【図１１】本発明の実施例１に係るプレス成形品の製品形状の説明図である（その２）。
【図１２】本発明の実施例１に係るスプリングバック量の評価方法の説明図である。
【図１３】本発明の課題の説明図であって、本発明が成形の対象としているプレス成形品の斜視図である。
【図１４】本発明の課題の説明図であって、従来のプレス成形装置の金型の斜視図である。
【図１５】本発明の課題の説明図であって、従来のプレス成形方法の説明図である。
【図１６】本発明の課題の説明図であって、従来のプレス成形方法によって成形された成形品におけるスプリングバックの発生メカニズムの説明図である。
【図１７】本発明の課題の説明図であって、従来のプレス成形方法によって成形された成形品におけるスプリングバックの説明図である。
【図１８】本発明を適用可能な製品形状の一例である（その１）。
【図１９】本発明を適用可能な製品形状の一例である（その２）。
【図２０】本発明を適用可能な製品形状の一例である（その３）。
【図２１】本発明の実施例３に係るプレス成形品の製品形状の説明図である。
【図２２】本発明の実施例３に係るプレス成形装置の金型の斜視図である。
【図２３】本発明の実施例３に係る比較例としての従来のプレス成形装置の金型の斜視図である。
【図２４】本発明の実施例３に係るスプリングバック量の評価方法の説明図である。
【発明を実施するための形態】
【００２８】
［実施の形態１］
本発明の一実施の形態に係るプレス成形方法が成形の対象としているプレス成形品は、図１３に示すように、長手方向に延びる溝形状部４３を有し、溝形状部４３を形成する一対の縦壁部４３ｂの両方に長手方向に沿って湾曲するフランジ部（外側フランジ４５及び内側フランジ４７）を有する製品形状の成形品４１（図１３参照）である。
【００２９】
上記プレス成形方法について詳細に説明するのに先立って、上記プレス成形方法を実施するためのプレス成形装置１の各構成について図４、図５に基づいてより詳細に説明する。
プレス成形装置１は、図５に示すように、溝形状部４３を成形する溝部３ａと溝部３ａの両側に肩部３ｂとを有するダイ３と、ダイ３の肩部３ｂに対向配置されて肩部３ｂと協働して外側フランジ４５及び内側フランジ４７を成形するフランジ成形用ダイ５と、ダイ３の溝部３ａに挿入されて成形品４１の溝形状部４３を成形する溝形状成形部７ａを有するパンチ７と、パンチ７をフランジ成形用ダイ５に対して相対移動させるパンチ移動装置１１と、パンチ７の溝形状成形部端７０ａがフランジ成形用ダイ５の成形面から離れた位置であって下死点状態で肩部３ｂとフランジ成形用ダイ５との間に隙間が形成される第１の位置と、パンチ７の溝形状成形部端７０ａがフランジ成形用ダイ５の成形面に一致する第２の位置にパンチ７を位置決めするパンチ位置決め手段１２と、ダイ３とパンチ７及びフランジ成形用ダイ５を相対移動させてプレス成形を行う成形用駆動装置１３とを備えている。
【００３０】
＜ダイ＞
ダイ３の凹陥部３ａは、パンチ７の上部と共に、成形品４１のパンチ頂部４３ａと縦壁部４３ｂからなる溝形状部４３を成形する。
ダイ３の肩部３ｂは、フランジ成形用ダイ５とで内側フランジ部４７及び外側フランジ部４５を成形する。
【００３１】
＜フランジ成形用ダイ＞
フランジ成形用ダイ５はパンチ７の下部が設置されるパンチ設置溝５ａを有している。
パンチ設置溝５ａを形成する壁面の上端には、内方に張り出す内張出部５ｂが形成されている。
【００３２】
＜パンチ＞
パンチ７は、図４に示すように、長手方向に沿って湾曲する凸条からなる。
パンチ７の下端幅方向両側には、図５（及び図１）に示すように、外方に張り出す外張出部７ｂが形成されている。パンチ７の下部はフランジ成形用ダイ５のパンチ設置溝５ａに上下動可能に設置されている。
パンチ７がパンチ移動装置１１によって押し出されると、外張出部７ｂの面が、フランジ成形用ダイ５の内張出部５ｂの面に当接して、パンチ７が位置決めされるようになっている。この位置が本発明の第１の位置に相当する。
第１の位置では、パンチ７の溝形状成形部端７０ａがフランジ成形用ダイ５の成形面から離れた位置（図５のｈ参照）であって、下死点状態でダイ３の肩部３ｂとフランジ成形用ダイ５との間に隙間が形成されるようになっている。
【００３３】
また、パンチ７が移動して、パンチ７の底面がパンチ設置溝５ａに当接すると、パンチ７の溝形状成形部端７０ａがフランジ成形用ダイ５の成形面に一致するようになっている。このときのパンチ７の位置が本発明の第２の位置に相当する。
【００３４】
上記のように、パンチ７は、内張出部５ｂと外張出部７ｂによって第１の位置に、パンチ設置溝５ａによって第２の位置に位置決めされるものであり、内張出部５ｂと外張出部７ｂ及びパンチ設置溝５ａが本発明のパンチ位置決め手段１２に相当する。
【００３５】
＜パンチ移動装置＞
パンチ移動装置１１は、図５に示すように、パンチ７を上下動させる油圧シリンダ１１ａと、油圧シリンダ１１ａを制御する制御部１１ｂとを有している。油圧シリンダ１１ａは、フランジ成形用ダイ５のパンチ設置溝５ａに設けられて、図示しない油圧ユニットに接続されており、該油圧ユニットから作動油を送りこまれるようになっている。なお、図１には油圧シリンダ１１ａのみを図示している。
パンチ移動装置１１は、ダイ３とパンチ７とでパンチ頂部４３ａと縦壁部４３ｂを成形する際（溝形状部成形工程）にパンチ７に作用する押圧力によって、パンチ７が押し下げられないように圧力が設定されている。
【００３６】
＜成形用駆動装置＞
成形用駆動装置１３は、図５に示すように、ダイ３を上下方向に駆動させる油圧シリンダ１３ａと、油圧シリンダ１３ａを制御する制御部１３ｂとを有している。なお、油圧シリンダ１３ａは、図示しない油圧ユニットに接続されており、該油圧ユニットから作動油を送りこまれるようになっている。
【００３７】
以上のように構成されたプレス成形装置１を用いた本発明の一実施の形態に係るプレス成形方法について図１、図２に基づいて詳細に説明する。なお、図１においては、成形用駆動装置１３の図示を省略している。
本実施の形態に係るプレス成形方法は、上述したプレス成形装置１を用いたプレス成形方法であって、パンチ７の溝形状成形部端７０ａがフランジ成形用ダイ５の成形面から離れていて下死点状態で肩部３ｂとフランジ成形用ダイ５との間に隙間が形成されるようにパンチ７の位置決めをするパンチ位置決め工程（図１（ａ）参照）と、パンチ位置決め工程で位置決めされた状態でパンチ７とダイ３によって溝形状部４３を製品形状に成形する（パンチ頂部４３ａがダイ溝部３ａの底の下死点まで成形する）形状部成形工程（図１（ｂ）参照）と、パンチ７の溝形状成形部端７０ａがフランジ成形用ダイ５の成形面に一致するようにパンチ７を移動させるパンチ移動工程（図１（ｃ）参照）と、パンチ移動工程でパンチ７を移動した状態でダイ３とフランジ成形用ダイ５によってフランジ部を製品形状に成形するフランジ成形工程（図１（ｄ）参照）とを備えたものである。
以下、各工程を詳細に説明する。
【００３８】
＜パンチ位置決め工程＞
まず、パンチ７の溝形状成形部端７０ａがフランジ成形用ダイ５の成形面から離れていて第１下死点状態で肩部３ｂとフランジ成形用ダイ５との間に隙間が形成されるようにパンチ７の位置決めをする（パンチ位置決め工程、図１（ａ）参照）。
具体的には、パンチ移動装置１１によってパンチ７を押し出して、外張出部７ｂの面が、フランジ成形用ダイ５の内張出部５ｂの面に当接して、パンチ７が位置決めされる。この位置が本発明の第１の位置に相当し、パンチ移動装置１１の押し出し力によってパンチ７はこの位置で保持される。
ブランク２９は、図１（ａ）に示すように、パンチ７の頂部に載置する。
【００３９】
＜溝形状部成形工程＞
次に、パンチ位置決め工程で位置決めされた状態でダイ３を移動させて、パンチ頂部４３ａと縦壁部４３ｂを製品形状に成形する（第１下死点、図１（ｂ）参照）（溝形状部成形工程）。
縦壁部４３ｂが成形される際にブランク２９が内方に流入することによって、ブランク２９の内側端２９ａ及び外側端２９ｂは、図１（ｂ）の太矢印で示すように、パンチ７側に移動する。
【００４０】
図２は、内側フランジ４７と外側フランジ部４５におけるプレス成形開始前から第１下死点（溝形状部成形工程の下死点）さらに第２下死点（フランジ成形工程の下死点）までの線長の変化を説明する説明図である。図２では、湾曲の内側及び外側について、破線の丸で囲んだ部分を拡大して示している。各拡大図において、破線がプレス成形前のブランク２９の内側端２９ａ及び外側端２９ｂ、点線が第１下死点における内側端２９ａ及び外側端２９ｂ、そして実線が第２下死点における内側端２９ａ及び外側端２９ｂをそれぞれ示している。
【００４１】
図２の湾曲の内側の拡大図を見ると、成形開始から第１下死点までの間（溝形状部成形工程）、ブランク２９の流入により内側端２９ａにおけるA0B0はA1B1となり、内側端２９ａの線長は引き伸ばされて長くなる（伸びフランジ変形）。
一方、湾曲の外側では、図２の拡大図に示す通り、ブランク２９の流入により外側端２９ｂにおけるC0D0はC1D1となり、外側端２９ｂの線長は縮められて短くなる（縮みフランジ変形）。
【００４２】
＜パンチ移動工程＞
次に、パンチ移動装置１１を駆動して、パンチ７の底面がパンチ設置溝５ａに当接するまでパンチ７を移動させる（パンチ移動工程、図１（ｃ）参照）。このとき、パンチ７の溝形状成形部端７０ａがフランジ成形用ダイ５の成形面に一致し、このパンチ７の位置が本発明の第２の位置に相当する。パンチ移動工程では、パンチ７は、第１の位置から前記第２の位置まで移動し、この移動量が本発明の相対移動距離hである。
【００４３】
＜フランジ成形工程＞
次に、ダイ３を移動させてフランジ成形用ダイ５に近づける。こうすることで、ダイ３とフランジ成形用ダイ５によって内側フランジ部４７及び外側フランジ部４５が製品形状に成形される（第２下死点、図１（ｄ）参照）（フランジ成形工程）。このときブランク２９の内側端２９ａ及び外側端２９ｂは、図１（ｄ）中の太矢印に示すように、外方に移動する。
【００４４】
図２の湾曲の内側の拡大図を見ると、第２下死点において、内側端２９ａは外側に押し出される（流出する）変形をするため、内側端２９ａの線長は僅かに短くなり（A1B1→A2B2）、成形品４１の製品形状における内側フランジ部４７の線長となる。つまり、プレス成形開始前のA0点、B0点はそれぞれ、第１下死点ではA1点、B1点になり、第２下死点ではA2点、B2点となり、線長はA0B0→A1B1→A2B2と変化する。
一方、湾曲の外側では、外側端２９ｂの線長が僅かに長くなる（C1D1→C2D2）。つまり、プレス成形開始前のC0点、D0点はそれぞれ、第１下死点ではC1点、D1点になり、第２下死点ではC2点、D2点となり、線長はC0D0→C1D1→C2D2と変化する。
【００４５】
このように、内側フランジ部４７においては、溝形状部成形工程において、一旦、成形品４１の製品形状よりも線長が長くなる成形を行い、フランジ成形工程において成形品４１の製品形状の線長に戻す成形を行い、外側フランジ部４５においては、溝形状部成形工程において、一旦、成形品４１の製品形状よりも線長が短くなる成形を行い、フランジ成形工程において成形品４１の製品形状の線長に戻す成形を行うようにしている。このため、内側フランジ部４７及び外側フランジ部４５において、溝形状部成形工程で生じたひずみがフランジ成形工程で僅かに戻されることになり、これに伴い残留応力が大幅に低減される。
【００４６】
この点について、図３に基づいて説明する。図３は、フランジ部の成形開始から第２下死点までの長手方向の応力―ひずみ線図である。図３に示すように、溝形状部成形工程により第１下死点のフランジ部には大きな残留応力が蓄積されている。しかし、第１下死点から第２下死点までひずみを僅かに戻すことによって残留応力は大幅に低減する。
このように、本発明は、僅かなひずみの戻りに対して残留応力が敏感に大きく変化する特徴を利用したものである。
【００４７】
ひずみの戻し量は、パンチ７の相対移動距離hとフランジ幅によって決まる。フランジ幅が同じであれば、相対移動距離hが大きいほどひずみの戻し量は大きくなり残留応力の低減効果は大きい。つまり、本発明において、フランジ成形用ダイ５に対するパンチ７の相対移動距離hがスプリングバック量に大きな影響を与えており、相対移動距離hを調節することによりスプリングバックをコントロールできる。
【００４８】
なお、ひずみの戻し量が大きすぎると、逆方向の残留応力を蓄積させてしまうため、適切な戻し量が必要である。
そこで、成形品４１のフランジ幅をL（図１３参照）とすると、フランジ幅Lと相対移動距離hの比（h／L）は、0.05＜h／L＜1.0の範囲内に設定することが望ましい。この点は後述する実施例において実証する。
【００４９】
以上のように、本実施の形態においては、成形過程において一旦成形品の内側に入り込んだフランジ部の材料を成形品の外側に押し戻して長手方向のひずみを僅かに戻すことで残留応力を低減させることが可能となり、製品形状を変えることなく、割れやしわなどの成形不良を発生させることなくスプリングバックを低減させることができる。
【００５０】
［実施の形態２］
実施の形態１では内側フランジ４７及び外側フランジ４５の両方においてひずみの戻りを与える例を説明したが、内側フランジ４７と外側フランジ４５との残留応力のバランスをとることによって成形品４１全体としてスプリングバックが緩和されればよく、内側フランジ部４７又は外側フランジ部４５の一方についてのみ、ひずみの戻りを与えるような成形を行うようにしてもよい。
例えば、内側フランジ部４７のみにひずみの戻りを与える場合、図６に示すように、外側フランジ成形部を有するパンチ１７と、内側フランジ成形用ダイ１９と、パンチ１７の幅方向一端が当接してパンチ１７の位置決めをするための位置決め部材２１とを有するプレス成形装置１５を用いてプレス成形を行う。プレス成形装置１５の上記各構成について図７（ａ）に基づいて詳細に説明する。
【００５１】
＜パンチ＞
パンチ１７は、ダイ３と共にパンチ頂部４３ａと縦壁部４３ｂと外側フランジ部４５を成形する。パンチ１７の幅方向両端には、実施の形態１のパンチ７と同様に、外方に張り出す外張出部１７ａが形成されている。
【００５２】
＜内側フランジ成形用ダイ＞
内側フランジ成形用ダイ１９は、一段低い段部１９ａを有しており、段部１９ａにパンチ１７の底部が配置される。段部１９ａを形成する縦壁の端には、内側に張り出して、パンチ１７の第１の位置の位置決めの際に、湾曲の内側の外張出部１７ａと当接する内張出部１９ｂが形成されている。
【００５３】
＜位置決め部材＞
位置決め部材２１は、内張出部１９ｂに対向するように張り出す張出部２１ａが形成されており、張出部２１ａが、パンチ１７の第１の位置の位置決めの際に、湾曲の外側の外張出部１７ａと当接するようになっている。
【００５４】
プレス成形装置１５の他の構成はプレス成形装置１と同様であるので、図６において、同一のものには同一の符号を付している。
【００５５】
プレス成形装置１５を用いたプレス成形方法について図７に基づいて説明する。なお、図７においては、パンチ移動装置１１の一部、および、成形用駆動装置１３の図示を省略している。
まず、図７（ａ）に示すようにブランク２９を載置し、ダイ３を移動させる。第１下死点（図７（ｂ）参照）においては、外側端２９ｂは内側に移動して縮みフランジ変形となり外側フランジ部４５が成形されるが、内側端２９ａでは伸びフランジ変形となる。
そして、第２下死点（図７（ｄ）参照）において内側端２９ａの長手方向の線長が僅かに短くなる変形が生じて内側フランジ部４７が成形される。このとき、伸びフランジ変形が緩和されて引張応力が大幅に減少する。このように、内側フランジ部４７のみに本発明を適用することで、内側フランジ部４７の伸びフランジ変形を緩和して、図１７に示す成形品４１に生ずるスプリングバックを緩和することができる。
さらに、後述する実施例２で実証するように、フランジ成形工程において内側フランジ部４７に与えるひずみの戻し量を大きくすることで逆方向の変形（伸び変形）を生じさせる残留応力を蓄積させ、外側フランジ部４５に生ずる伸び変形とバランスさせるようにしてもよい。このようにすれば、内側フランジ部４７と外側フランジ部４５での残留応力による変形がバランスされ、成形品４１全体としてスプリングバックによる変形が緩和される。
【００５６】
［実施の形態３］
実施の形態２に示したものとは逆に、外側フランジ部４５のみにひずみの戻りを与えるようにしてもよく、この場合、図８に示すように、内側フランジ成形部を有するパンチ２５と、外側フランジ成形用ダイ２７を有するプレス成形装置２３を用いる。
パンチ２５は、ダイ３と共にパンチ頂部４３ａと縦壁部４３ｂと内側フランジ部４７を成形する。
プレス成形装置２３の他の構成はプレス成形装置１と同様であるので、図８において、同一のものには同一の符号を付している。図８においては、成形用駆動装置１３の図示を省略している。
【００５７】
この場合、第１下死点においては、内側フランジ部４７では伸びフランジ変形となり、外側フランジ部４５では縮みフランジ変形となる点は、上記実施の形態３と同様である。その後に成形が進むと、第２下死点において外側フランジ部４５においては線長が僅かに長くなり、縮みフランジ変形が緩和されて圧縮応力が大幅に減少する。
このように、外側フランジ部４５のみに本発明を適用することで、外側フランジ部４５の縮みフランジ変形を緩和して、図１７に示す成形品４１に生ずるスプリングバックを緩和することができる。
また、フランジ成形工程において外側フランジ部４５に与えるひずみの戻し量を大きくすることで逆方向の変形（縮み変形）を生じさせる残留応力を蓄積させ、内側フランジ部４７に生ずる縮み変形とバランスさせるようにしてもよい。このようにすれば、内側フランジ部４７と外側フランジ部４５での残留応力による変形がバランスされ、成形品４１全体としてスプリングバックによる変形が緩和される。
【００５８】
なお、上記のフランジ成形工程では、内側フランジ部４７及び外側フランジ部４５を成形する方法の一例として、ダイ３とパンチ７をフランジ成形用ダイ５に近づけるものについて説明したが、ダイ３とパンチ７を第１下死点で停止させ、フランジ成形用ダイ５をダイ３側に近づけるようにしてもよい。
【００５９】
また、本発明で効果が得られる成形品の製品形状としては長手方向に沿って湾曲するフランジ部を有し、かつ溝形状部を形成する一対の縦壁の少なくとも一方にフランジ部を有する形状であればよい。図９に、本発明を適用可能な成形品の製品形状の断面の例を複数示し、各断面について以下に説明する。
【００６０】
図９（ａ）〜図９（ｆ）は、内側及び外側の両方に湾曲したフランジ部を有するものである。図９（ａ）、（ｄ）は縦壁が垂直になっているものである。図９（ｂ）、（ｅ）は上述した成形品４１の断面と同様であり、縦壁が傾斜しているものである。図９（ｃ）、（ｆ）は両縦壁部が傾斜して頂部に平坦部のない形を形成しているものである。図９（ｃ）、（ｆ）の断面を成形するには、先端がＲになっているパンチを使用するとよい。
【００６１】
また、図９（ｇ）〜図９（ｉ）に示すように、図９（ａ）〜図９（ｃ）の内側又は外側のいずれか一方のみの湾曲したフランジ部を有するものであってもよい。
フランジ部の長さ、高さ位置や角度について制限はない。
また、図１８に示すように、内側又は外側のいずれか一方に湾曲したフランジ部を有し、他方は湾曲しないフランジ部を有するものであってもよく、成形品の製品形状全体が湾曲していなくともよい。
【００６２】
また、成形品の長手方向をｘ方向、幅方向をｙ方向、高さ方向をｚ方向（図１８参照）とすると、上記の実施の形態１〜３及び図１８の説明では、成形品はｘｙ平面内における湾曲であったが、本発明の対象とする成形品はこのような湾曲にのみ限られず、図１９及び図２０に示すように、フランジ部がｚ方向に湾曲するものも含む。
図１９（ａ）は、成形品全体が長手方向中央で上に凸となるように湾曲した形状の一例(成形品８１)を図示したものであり、図１９（ｂ）は長手方向中央で下に凸となるように湾曲した形状の一例(成形品８３)を図示したものである。
また、図２０（ａ）は、成形品のフランジ部のみが長手方向中央で上に凸となるように湾曲した形状の一例(成形品９１)を図示したものであり、図２０（ｂ）は成形品のフランジ部のみが長手方向中央で下に凸となるように湾曲した形状の一例(成形品９３)を図示したものである。
【実施例１】
【００６３】
本発明のプレス成形方法による作用効果について具体的な実験を行ったので、その結果について図１０〜図１２に基づいて、他の図を適宜参照して以下に説明をする。
まず、実験方法について概説する。実験は、プレス成形装置１（図１及び図５）を用いて複数のプレス成形条件で成形を行い、成形された成形品のスプリングバック量を比較するというものである。
成形対象となる成形品４１は、図１０及び図１１に示すように、ハット断面を有する長手方向に沿って湾曲した形状であり、長さは1000mm、断面の高さは30mm、パンチ頂部４３ａの幅は20mm、内側フランジ部４７及び外側フランジ部４５の幅はともに25mm、部品幅中央の長手方向湾曲曲率半径は1000mmである。ブランク２９は厚さ1.2mmの980MPa級鋼板を使用した。プレス機には1000tonf油圧プレス機を用いた。
【００６４】
プレス成形条件について以下に詳細に説明する。
本発明例１〜本発明例７においては、図１、図４、図５に示すプレス成形装置１を用いた。
本発明例１〜本発明例７は、パンチ７の相対移動距離hの影響を確認するため、相対移動距離hをそれぞれ2.5、5、10、15、20、25、30mmの7水準とした。
本発明例１〜本発明例７は、フランジ成形工程では、パンチ７を移動させた状態でパンチ７とフランジ成形用ダイ５を固定して、ダイ３を移動させるようにした。
【００６５】
比較例１は、プレス成形装置１０１（図１４）を用いて、パンチ頂部４３ａと縦壁部４３ｂとフランジ部（内側フランジ部４７及び外側フランジ部４５）を成形する通常のパンチ１０５（図１における相対移動距離h=0mm）を用いて従来のフォーム成形（図１５参照）を行った。
【００６６】
成形された製品形状は３次元形状測定器で測定した。その後、CADソフトウェア上で長手方向中央の湾曲部が設計形状と合うように測定データの位置合わせを行った後、部品端における測定形状データと設計形状データのY座標差異（曲がり量Δy、図１２参照）を算出し、この曲がり量Δyをスプリングバックによる曲がり変形の指標とした。
曲がり量Δyは、正ならば部品の湾曲曲率が大きくなる（曲率半径が小さくなる）方向に曲がり変形したことを、負ならば湾曲曲率が小さくなる（曲率半径が大きくなる）方向に曲がり変形したことを意味する。そして、絶対値が小さければスプリングバック量が少ないことを意味する。
表１に各プレス成形条件｛相対移動距離h（mm）、h／L｝と各プレス条件で成形された成形品４１の曲がり量Δy（mm）を示す。
【００６７】
【表１】
0005949856.tif 000002
【００６８】
表１の本発明例１〜本発明例７をみると、相対移動距離hが大きくなれば曲がり量Δyの絶対値は比較例１より小さくなることが分かる。
また、h=10mmからh=15mmで曲がり量Δyの正負が逆転した。曲がり量Δyの絶対値が最も小さい成形条件は本発明例３（h=10mm）でΔy=1.2mmとなり、比較例１の従来のフォーム成形に比べ大幅にスプリングバックが低減した。
【実施例２】
【００６９】
上記実施例１は、内側フランジ部４７及び外側フランジ部４５の両方にひずみを戻す成形を適用したものであった。実施例２では、内側フランジ部４７又は外側のフランジのいずれか一方についてひずみを戻す成形を適用した場合の効果について具体的な実験を行ったので、その結果について説明する。
【００７０】
まず、実験方法について概説する。
ひずみを戻す成形は、本発明例８〜本発明例１２では内側フランジ部４７のみに、本発明例１３〜本発明例１７では外側フランジ部４５のみに適用した。
本発明例８〜本発明例１２では、図６及び図７に示すプレス成形装置１５を、本発明例１５〜本発明例１９では、図８に示すプレス成形装置２３を用いた。
相対移動距離hは、本発明例８〜本発明例１２ではそれぞれ5、10、15、20、25mmとし、本発明例１３〜本発明例１７でも同様にそれぞれ5、10、15、20、25mmとした。
また、比較例２として、プレス成形装置１０１｛通常のパンチ１０５（図１における相対移動距離h=0mm）｝を用いた従来のフォーム成形（図１５参照）を行った。
成形対象、油圧プレス機、スプリングバックの評価方法は、実施例１と同様である。
【００７１】
表２に各プレス成形条件｛適用フランジ、相対移動距離h（mm）、h／L｝と各プレス条件で成形された成形品４１の曲がり量Δy（mm）を示す。
【００７２】
【表２】
0005949856.tif 000003
【００７３】
スプリングバック量が最も小さい（曲がり量Δyの絶対値が最も小さい）成形条件は、内側フランジ部４７に適用した例では本発明例１０（h=15mm）でΔy=0.3mm、外側フランジ部４５に適用した例では本発明例１５（h=15mm）でΔy=0.9mmであり、比較例３のΔy=7.3mmに比べ大幅にスプリングバックは低減した。
以上のように、ひずみを戻す本発明を適用するのが内側フランジ部４７及び外側フランジ部４５のどちらか一方のみであっても、高いスプリングバック抑制効果が確認された。
【００７４】
なお、上記の説明では、フランジ成形工程は、ダイを移動させてフランジ成形用ダイに近づけるものを例に挙げたが、本発明はこれに限られず、例えば、フランジ成形用ダイ及びパンチを一体として移動させて、ダイに近づけるようにしてもよい。
【００７５】
なお、上記では、パンチの移動のためにパンチ移動装置と、パンチの位置決めのためにパンチ位置決め手段を用いたものを例に挙げて説明したが、パンチ移動装置とパンチ位置決め手段の替わりに、これらの両方の機能を有するもの、例えば位置と速度等を制御することができる油圧サーボモータを用いて、パンチの移動及び位置決めを行ってもよい。
こうすることによって、パンチ７の相対移動距離hを成形現場で容易に変更することができる。上述したとおり、相対移動距離hを調節することでスプリングバックをコントロールすることができる。
従って、成形現場でスプリングバックをコントロールでき、従来のように金型を修正することでトライアル＆エラーによってスプリングバックを低減していたのに比べ、はるかに安価でなおかつ短期間でスプリングバックを低減できる。
なお、本発明は、下側にフランジ成形用ダイ５とパンチ７を有し、上側にダイ３を有して、パンチ７の溝形状成形部端７０ａがフランジ成形用ダイ５の成形面より上方の位置であって、下死点状態で肩部３ｂとフランジ成形用ダイ５との間に隙間を形成されるようにしていたが、上側にフランジ成形用ダイ５とパンチ７を有し、下側にダイ３を有してもよく、この場合、パンチ７の溝形状成形部端７０ａがフランジ成形用ダイ５の成形面より下方に離れた位置であって、下死点状態で肩部３ｂとフランジ成形用ダイ５との間に隙間が形成されるようにするとよい。
【実施例３】
【００７６】
上記実施例１および実施例２では、ｘｙ平面内で湾曲した製品についての実験であったが、本実施例では、ｚ方向（プレス方向）に湾曲した製品についての実験を行ったので、その結果について説明する。
まず、実験方法について概説する。
【００７７】
本発明例１８〜本発明例２２は、図２１（ａ）に示すように成形品全体が長手方向中央で上に凸となるように湾曲した成形品８１について、本発明例２３〜本発明例２７は図２１（ｂ）に示すように長手方向中央で下に凸となるように湾曲した成形品８３について、それぞれ本発明を適用したものである。
成形品８１および成形品８３は、長さは1000mm、長手方向湾曲曲率半径は1000mm、断面形状は実施例１および実施例２と同じである（図１１参照）。ひずみを戻す成形は、両方のフランジ部に適用した。ブランク材、および油圧プレス機は実施例１および実施例２と同様のものを用いた。
【００７８】
本発明例１８〜本発明例２２では図２２（ａ）に示すプレス成形装置６１、本発明例２３〜本発明例２７では図２２（ｂ）に示すプレス成形装置６５を用いた。成形時のブランクと各金型の動きは図１と同様である。
相対移動距離hは、本発明１８〜本発明例２２ではそれぞれ5、10、15、20、25mmとし、本発明２３〜本発明例２７ではそれぞれ5、10、15、20、25mmとした。
また、比較例４および比較例５として、図２３（ａ）に示すプレス成形装置１１１（相対移動距離h=0mm）と図２３（ｂ）に示すプレス成形装置１１３（相対移動距離h=0mm）を用いた通常のフォーム成形を行った。
【００７９】
スプリングバックの形態として、図２１（ａ）に示す成形品８１には図２４（ａ）に示すように＋ｚ方向のハネ変形が、図２１（ｂ）に示す成形品８３には図２４（ｂ）に示すように−ｚ方向のハネ変形が生じる。部品端における測定形状データと設計形状データのｚ方向差異（ハネ量Δz）を算出し、このハネ量をスプリングバックによるハネ変形の指標とした。
ハネ量Δzは、正ならば部品端が上方（フランジ部と反対側）にハネ変形したことを、負ならば部品端が下方（フランジ部と同じ側）にハネ変形したことを意味する。そして、絶対値が小さければスプリングバックが少ないことを意味する。
表３に製品凸方向と各プレス成形条件｛相対移動距離h（mm）、h／L｝と各プレス条件で成形された成形品８１および成形品８３のハネ量Δｚ（mm）を示す。
【００８０】
【表３】
0005949856.tif 000004
【００８１】
成形品８１（上に凸の製品）について検討した例でスプリングバック量が最も小さい（ハネ量Δzの絶対値が最も小さい）成形条件は、本発明例２１（h=20mm）でΔz=0.3mmであり、比較例３のΔz=13.5mmに比べスプリングバックが大幅に低減した。
一方、成形品８３（下に凸の製品）について検討した例でスプリングバック量が最も小さい成形条件は、本発明例２６（h=20mm）でΔz=-0.8mmであり、比較例４のΔz=-15.0mmに比べスプリングバックが大幅に低減した。
【００８２】
以上のように、ｘｙ平面内で湾曲した製品のみならず、ｚ方向（プレス方向）に湾曲した製品について本発明を適用した場合であっても、スプリングバックの高い抑制効果が確認された。
【符号の説明】
【００８３】
１  プレス成形装置（実施の形態１）
３  ダイ
３ａ  溝部
３ｂ  肩部
５  フランジ成形用ダイ
５ａ  パンチ設置溝
５ｂ  内張出部
７  パンチ
７ａ  溝形状成形部
７ｂ  外張出部
７０ａ  溝形状成形部端
１１  パンチ移動装置
１１ａ  油圧シリンダ
１１ｂ  制御部
１２  パンチ位置決め手段
１３  成形用駆動装置
１３ａ  油圧シリンダ
１３ｂ  制御部
１５  プレス成形装置（実施の形態２）
１７  外側フランジ成形部を有するパンチ
１７ａ  外張出部
１９  内側フランジ成形用ダイ
１９ａ  段部
１９ｂ  内張出部
２１  位置決め部材
２１ａ  張出部
２３  プレス成形装置（実施の形態３）
２５  内側フランジ成形部を有するパンチ
２７  外側フランジ成形用ダイ
２９  ブランク
２９ａ  内側端
２９ｂ  外側端
４１  成形品
４３  溝形状部
４３ａ  パンチ頂部
４３ｂ  縦壁部
４５  外側フランジ部
４７  内側フランジ部
５１  内側に湾曲フランジを有する成形品
５３  外側に湾曲フランジを有する成形品
６１  本発明のプレス成形装置（他の態様）
６２  ダイ
６３  フランジ用成形ダイ
６４  パンチ
６５  本発明のプレス成形装置（さらに他の態様）
６６  ダイ
６７  フランジ用成形ダイ
６８  パンチ
８１  上に凸となる湾曲形状の成形品
８３  下に凸となる湾曲形状の成形品
９１  フランジ部のみが上に凸となる湾曲形状の成形品
９３  フランジ部のみが下に凸となる湾曲形状の成形品
１０１  プレス成形金型
１０３  ダイ
１０５  パンチ
１１１  プレス成形金型（比較例用）
１１２  パンチ
１１３  プレス成形金型（比較例用）
１１４  パンチ
【図１】
0005949856.tif 000005
【図２】
0005949856.tif 000006
【図３】
0005949856.tif 000007
【図４】
0005949856.tif 000008
【図５】
0005949856.tif 000009
【図６】
0005949856.tif 000010
【図７】
0005949856.tif 000011
【図８】
0005949856.tif 000012
【図９】
0005949856.tif 000013
【図１０】
0005949856.tif 000014
【図１１】
0005949856.tif 000015
【図１２】
0005949856.tif 000016
【図１３】
0005949856.tif 000017
【図１４】
0005949856.tif 000018
【図１５】
0005949856.tif 000019
【図１６】
0005949856.tif 000020
【図１７】
0005949856.tif 000021
【図１８】
0005949856.tif 000022
【図１９】
0005949856.tif 000023
【図２０】
0005949856.tif 000024
【図２１】
0005949856.tif 000025
【図２２】
0005949856.tif 000026
【図２３】
0005949856.tif 000027
【図２４】
0005949856.tif 000028